【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
４方向の送信アンテナ（４Ｔｘ）通信システム（３００）において、第１の送信アンテナ（１２０１）、第２の送信アンテナ（１２０２）、第３の送信アンテナ（１２０３）および第４の送信アンテナ（１２０４）を含む基地局（３０１）における共通パイロット電力の調整を判定するための方法であって、
前記通信システム（３００）においてスケジュールされたユーザ装置（３１０）のセットを識別する工程（４０１、１００１、１１０１）と、
前記スケジュールされたユーザ装置のセットに関連付けられる基準に基づいて前記共通パイロット電力は調整されるべきと判定する工程（４０２、１００２、１１０２）と
を有する、方法。
【請求項２】
前記基準は、前記スケジュールされたユーザ装置（３１０）のセットに関連付けられるチャネル状態情報（ＣＳＩ）推定と、前記スケジュールされたユーザ装置（３１０）のセットにおける４Ｔｘ多入力多出力（ＭＩＭＯ）で構成されているスケジュールされたユーザ装置（３１０）の数、の少なくとも１つを表す、請求項１に記載の方法。
【請求項３】
前記基準は、前記スケジュールされたユーザ装置（３１０）のセットにおける４ＴｘＭＩＭＯで構成されているスケジュールされたユーザ装置（３１０）の数に関連し、
前記基準に基づいて前記共通パイロット電力は調整されるべきかを判定する工程（４０２、１００２）は更に、
前記スケジュールされたユーザ装置（３１０）のセットにおいて４ＴｘＭＩＭＯで構成されているスケジュールされたユーザ装置が存在しない場合に、前記第３の送信アンテナ（１２０３）と前記第４の送信アンテナ（１２０４）に対して前記共通パイロット電力が削減されるべきと判定する工程（４０２ａ、１００２ａ、１１０２ａ）と、
前記スケジュールされたユーザ装置（３１０）のセットにおいて４ＴｘＭＩＭＯで構成されたユーザ装置（３１０）の数が閾値より多い場合に、前記第３の送信アンテナ（１２０３）と前記第４の送信アンテナ（１２０４）に対して前記共通パイロット電力が増加されるべきと判定する工程（４０２ｂ、１００２ｂ、１１０２ｂ）とを有する、請求項２に記載の方法。
【請求項４】
前記基準に基づいて前記第３の送信アンテナ（１２０３）と前記第４の送信アンテナ（１２０４）に対する前記共通パイロット電力を調整する工程（４０４、１００４、１１０３）を更に有する、請求項１から３のいずれか１項に記載の方法。
【請求項５】
前記基準に基づいて前記第３の送信アンテナ（１２０３）と前記第４の送信アンテナ（１２０４）に対する共通パイロット電力を調整するために指示をネットワークノード（３１５）へ送信する工程（４０３、１００３、１１０４）を更に有する、請求項１から４のいずれか１項に記載の方法。
【請求項６】
前記第３の送信アンテナ（１２０３）と前記第４の送信アンテナ（１２０４）に対する調整された共通パイロット電力を用いて、前記スケジュールされたユーザ装置（３１０）のセットにおける各ユーザ装置へ、第１のパイロット信号、第２のパイロット信号、第３のパイロット信号、および第４のパイロット信号を送信する工程（４０５、１００５、１１０５）を更に有する、請求項４または５に記載の方法。
【請求項７】
前記少なくとも１つの前記調整された共通パイロット電力を用いて、前記ユーザ装置（３１０）のセットにおける各ユーザ装置へ、前記第１のパイロット信号、前記第２のパイロット信号、前記第３のパイロット信号、および前記第４のパイロット信号を送信する工程（４０５、１００５、１１０５）は、
前記削減された共通パイロット電力または前記増加された共通パイロット電力を用いて前記ユーザ装置（３１０）のセットにおける各ユーザ装置へ前記第１のパイロット信号、前記第２のパイロット信号、前記第３のパイロット信号、および前記第４のパイロット信号を送信する工程（４０５、１００５、１１０５）を更に有する、請求項３から６のいずれか１項に記載の方法。
【請求項８】
前記共通パイロット電力は６ｄＢから１０ｄＢ削減されることにより調整されるべきである、請求項１から７のいずれか１項の方法。
【請求項９】
前記共通パイロット電力は３ｄＢ増加されることにより調整されるべきである、請求項１から８のいずれか１項の方法。
【請求項１０】
前記共通パイロット電力は高速共有制御チャネル（ＨＳ−ＳＣＣＨ）の送信開始時に増加されることによって調整される、請求項１から９のいずれか１項に記載の方法。
【請求項１１】
前記通信システム（３００）は、高速ダウンリンクパケットアクセス（ＨＳＤＰＡ）システムである、請求項１から１０のいずれか１項に記載の方法。
【請求項１２】
４方向送信アンテナ（４Ｔｘ）通信システム（３００）において、共通パイロット電力を調整するネットワークノード（３１５）における方法であって、
スケジュールされたユーザ装置（３１０）のセットに関連付けられる基準に基づいて前記共通パイロット電力を調整するために、第１の送信アンテナ（１２０１）、第２の送信アンテナ（１２０２）、第３の送信アンテナ（１２０３）および第４の送信アンテナ（１２０４）を含む基地局（３０１）から、指示を受信する工程（４０２．１００３、１３０１）と、
前記受信した指示に基づいて前記基地局（３０１）の前記第３の送信アンテナ（１２０３）と前記第４の送信アンテナ（１２０４）に対する前記共通パイロット電力を調整する工程（４０４、１００４、１３０２）と、
を有する、方法。
【請求項１３】
前記基準は、前記スケジュールされたユーザ装置（３１０）のセットに関連付けられるチャネル状態情報（ＣＳＩ）推定と、前記スケジュールされたユーザ装置（３１０）のセットにおける４Ｔｘ多入力多出力（ＭＩＭＯ）で構成されているスケジュールされたユーザ装置（３１０）の数、の少なくとも１つを表す、請求項１２に記載の方法。
【請求項１４】
前記第３の送信アンテナ（１２０３）と前記第４の送信アンテナ（１２０４）に対する前記調整された共通パイロット電力を用いて、前記ユーザ装置（３１０）のセットにおける各前記ユーザ装置（３１０）へ、第１のパイロット信号、第２のパイロット信号、第３のパイロット信号、および第４のパイロット信号を送信する工程（４０５、１００５、１３０３）を更に有する、請求項１３に記載の方法。
【請求項１５】
前記ネットワークノード（３１５）は、無線ネットワーク制御装置（３１５）である、請求項１２から１４のいずれか１項に記載の方法。
【請求項１６】
前記共通パイロット電力は６ｄＢから１０ｄＢ削減されることにより調整されるべきである、請求項１２から１５のいずれか１項の方法。
【請求項１７】
前記共通パイロット電力は３ｄＢ増加されることにより調整されるべきである、請求項１２から１６のいずれか１項の方法。
【請求項１８】
前記共通パイロット電力は高速共有制御チャネル（ＨＳ−ＳＣＣＨ）の送信開始時に増加されることによって調整される、請求項１２から１７のいずれか１項に記載の方法。
【請求項１９】
前記通信システム（３００）は、高速ダウンリンクパケットアクセス（ＨＳＤＰＡ）システムである、請求項１２から１８のいずれか１項に記載の方法。
【請求項２０】
４方向の送信アンテナ（４Ｔｘ）通信システム（３００）において、共通パイロット電力の調整を判定するための、第１の送信アンテナ（１２０１）、第２の送信アンテナ（１２０２）、第３の送信アンテナ（１２０３）および第４の送信アンテナ（１２０４）を含む基地局（３０１）であって、
前記通信システム（３００）においてスケジュールされたユーザ装置（３１０）のセットを識別するように構成された識別部（１２０５）と、
前記スケジュールされたユーザ装置（３１０）に関連付けられる基準に基づいて前記共通パイロット電力は調整されるべきと判定するプロセッサ（１２０７）と
を有する基地局（３０１）。
【請求項２１】
前記基準は、前記スケジュールされたユーザ装置（３１０）のセットに関連付けられるチャネル状態情報（ＣＳＩ）推定と、前記スケジュールされたユーザ装置（３１０）のセットにおける４Ｔｘ多入力多出力（ＭＩＭＯ）で構成されているスケジュールされたユーザ装置（３１０）の数、の少なくとも１つを表す、請求項２０に記載の基地局（３０１）。
【請求項２２】
前記基準は、前記スケジュールされたユーザ装置（３１０）のセットにおける４ＴｘＭＩＭＯで構成されているスケジュールされたユーザ装置（３１０）の数に関連し、
前記プロセッサは更に、
前記スケジュールされたユーザ装置（３１０）のセットにおいて４ＴｘＭＩＭＯで構成されているスケジュールされたユーザ装置が存在しない場合に、前記第３の送信アンテナ（１２０３）と前記第４の送信アンテナ（１２０４）に対して前記共通パイロット電力が削減されるべきと判定し、
前記スケジュールされたユーザ装置（３１０）のセットにおいて４ＴｘＭＩＭＯで構成されたユーザ装置（３１０）の数が閾値より多い場合に、前記第３の送信アンテナ（１２０３）と前記第４の送信アンテナ（１２０４）に対して前記共通パイロット電力が増加されるべきと判定するように更に構成される、請求項２１に記載の基地局（３０１）。
【請求項２３】
前記基準に基づいて前記第３の送信アンテナ（１２０３）と前記第４の送信アンテナ（１２０４）に対する前記共通パイロット電力を調整するように構成された調整部（１２１０）を更に有する、請求項２０から２３のいずれか１項に記載の基地局（３０１）。
【請求項２４】
前記基準に基づいて前記第３の送信アンテナ（１２０３）と前記第４の送信アンテナ（１２０４）に対する前記共通パイロット電力を調整するために指示をネットワークノード（３１５）へ送信するように構成された送信器（１２１５）を更に有する、請求項２０から２３のいずれか１項に記載の基地局（３０１）。
【請求項２５】
前記第３の送信アンテナ（１２０３）と前記第４の送信アンテナ（１２０４）に対する調整された共通パイロット電力を用いて、前記スケジュールされたユーザ装置（３１０）のセットにおける各ユーザ装置へ、第１のパイロット信号、第２のパイロット信号、第３のパイロット信号、および第４のパイロット信号を送信するように構成された送信器（１２１５）を更に有する、請求項２０から２４のいずれか１項に記載の基地局（３０１）。
【請求項２６】
前記送信器（１２１５）は、前記少なくとも１つの削減された共通パイロット電力または前記少なくとも１つの増加された共通パイロット電力を用いて前記ユーザ装置（３１０）のセットにおける各ユーザ装置へ前記第１のパイロット信号、前記第２のパイロット信号、前記第３のパイロット信号、および前記第４のパイロット信号を送信するように構成される、請求項２２から２５のいずれか１項に記載の基地局（３０１）。
【請求項２７】
前記共通パイロット電力は６ｄＢから１０ｄＢ削減されることにより調整されるべきである、請求項２０から２６のいずれか１項の基地局（３０１）。
【請求項２８】
前記共通パイロット電力は３ｄＢ増加されることにより調整されるべきである、請求項２０から２７のいずれか１項の基地局（３０１）。
【請求項２９】
前記共通パイロット電力は高速共有制御チャネル（ＨＳ−ＳＣＣＨ）の送信開始時に増加されることによって調整される、請求項２０から２８のいずれか１項に記載の基地局（３０１）。
【請求項３０】
前記通信システム（３００）は、高速ダウンリンクパケットアクセス（ＨＳＤＰＡ）システムである、請求項２０から２９のいずれか１項に記載の基地局（３０１）。
【請求項３１】
４方向送信アンテナ（４Ｔｘ）通信システム（３００）において、共通パイロット電力を調整するネットワークノード（３１５）であって、
スケジュールされたユーザ装置（３１０）のセットに関連付けられる基準に基づいて前記共通パイロット電力を調整するために、第１の送信アンテナ（１２０１）、第２の送信アンテナ（１２０２）、第３の送信アンテナ（１２０３）および第４の送信アンテナ（１２０４）を含む基地局（３０１）から、指示を受信するように構成された受信器（１４０１）と、
前記受信した指示に基づいて前記基地局の前記第３の送信アンテナ（１２０３）と前記第４の送信アンテナ（１２０４）に対する前記共通パイロット電力を調整するように構成された調整部（１４０３）と、
を有する、ネットワークノード（３１５）。
【請求項３２】
前記基準は、前記スケジュールされたユーザ装置（３１０）のセットに関連付けられるチャネル状態情報（ＣＳＩ）推定と、前記スケジュールされたユーザ装置（３１０）のセットにおける４Ｔｘ多入力多出力（ＭＩＭＯ）で構成されているスケジュールされたユーザ装置（３１０）の数、の少なくとも１つを表す、請求項３１に記載のネットワークノード（３１５）。
【請求項３３】
前記第３の送信アンテナ（１２０３）と前記第４の送信アンテナ（１２０４）に対する前記少なくとも１つの調整された共通パイロット電力を用いて、前記ユーザ装置（３１０）のセットにおける各前記ユーザ装置（３１０）へ、第１のパイロット信号、第２のパイロット信号、第３のパイロット信号、および第４のパイロット信号を送信するように構成された送信器（１４０５）を更に有する、請求項３１または３２に記載のネットワークノード（３１５）。
【請求項３４】
前記ネットワークノード（３１５）は、無線ネットワーク制御装置（３１５）である、請求項３１から３３のいずれか１項に記載のネットワークノード（３１５）。
【請求項３５】
前記共通パイロット電力は６ｄＢから１０ｄＢ削減されることにより調整されるべきである、請求項３１から３４のいずれか１項のネットワークノード（３１５）。
【請求項３６】
前記共通パイロット電力は３ｄＢ増加されることにより調整されるべきである、請求項３１から３５のいずれか１項のネットワークノード（３１５）。
【請求項３７】
前記共通パイロット電力は高速共有制御チャネル（ＨＳ−ＳＣＣＨ）の送信開始時に増加されることによって調整される、請求項３１から３６のいずれか１項に記載のネットワークノード（３１５）。
【請求項３８】
前記通信システム（３００）は、高速ダウンリンクパケットアクセス（ＨＳＤＰＡ）システムである、請求項３１から３７のいずれか１項に記載のネットワークノード（３１５）。